Podtech/llm-jp-corpus-v4-ja_patent huggingface dataset:
(57)【要約】【課題】生花飾り付け用台の高さを、容易に伸縮自在とし、且つ、確実に固定できる飾り付け台を提供する。【解決手段】飾り付け台本体１に固定した、左右一対の位置決め用取っ手４を片手で操作し、一方の手で脚部連結棒９をスライドさせながら、位置決め用取っ手先端部６と脚部２に穿孔した勘合孔７を、所要のレベルを選択しながら容易に挿入固定できる構成とした。【選択図】図２
0003187799.tif 000002
【実用新案登録請求の範囲】
【請求項１】
飾り付け台本体に、一体に設けた二対の固定用具の位置決め用取っ手先端部の位置決め用ピンと、それぞれの脚部に設けた複数の勘合孔とを、所要とする該飾り付け台本体の高さに位置決めするために、該位置決め用取っ手の一対を、同時に内方向に引き寄せ、当該位置決め用ピンを該勘合孔から離脱させ、同時に、脚部連結棒を伸縮方向に作動させ、所要の該勘合孔に係合させることができることを特徴とした飾り付け用台。
【考案の詳細な説明】
【技術分野】
【０００１】  本考案は、主に生花を飾り付けるために必要とする、飾り付け用台に関するものである。
【背景技術】
【０００２】  葬儀式場、ホテル等において生花を飾り付ける場合に、式場の空間に応じて、飾り付け高さを、飾り付け用台に設けた固定用金具をねじ込むことにより調整していた。
【考案の概要】
【考案が解決しようとする課題】
【０００３】  飾り付け用台を所要の高さに固定させるためには、左右一対の固定金具のねじをその都度ゆるめ、所要の高さに調整した後、固定金具をねじ込み固定させていたが、高さの位置決めや、ねじを弛緩するための作業時間や労力を要していた。また、ねじの弛みによる飾り付け台の傾斜や高さの位置決めが不均一になるなど、飾り付ける商品を安定して積載する上で課題があった。
【課題を解決するための手段】
【０００４】  本考案は、飾り付け用台の所要高さを確保する上で、脚部に位置決め用孔を設け、片方の手指で飾り付け台本体に設けた左右一対の固定金具を引き合わせ、位置決め用孔に係合していたピン先を解除した後に、もう一方の手で脚部連結棒を上下させ、所要の高さを確保できる位置決め用孔を選択した上で、左右一対の固定金具の引き合わせを解除し、位置め用のピン先を係合孔に嵌め込むことで、確実に所要高さを確保することができる。
【考案の効果】
【０００５】  上述の様に、本考案の飾り付け用台は、固定金具と脚部連結棒をワンタッチで操作することにより、所要高さを容易にセットすることができるので、固定金具の締め付け力の個人差による脚部のゆるみや、所要高さのばらつきを排除することができ、生花飾り付け時の積載商品の傾き、ねじの弛みによる積載商品の傾きや落下を防止できる。さらに、冠婚葬祭の生花飾り付け作業が、限られた時間内での作業を求められており、作業時間の短縮も達成できる。
【図面の簡単な説明】
【０００６】
【図１】本考案の飾り付け用台の実施例を示す斜視図である。
【図２】飾り付け台本体と脚部との勘合部切欠断面図である。
【図３】従来の飾り付け台の高さ調整部切欠断面図である。
【考案を実施するための形態】
【０００７】  飾り付け用台は、四本の飾り付け台本体にそれぞれ二対の位置決め用取っ手を設け、飾り付け台本体の上下にスライドする四本の脚部に、予め所要位置に穿孔した勘合孔を設ける。位置決め用取っ手を操作することにより、位置決め用孔に勘合するピン先を解除できるようにし、併せて、脚部連結棒を伸縮させながら、所要のレベルに穿孔した勘合孔へ、位置決め用取っ手の先端に形成された位置決め用取っ手ピン部を挿入係合できる。
【実施例】
【０００８】  以下、添付図面に従って一実施例を説明する。１は耐久性に富む金属製等適宜素材で形成された飾り付台本体、２は該飾り付け台本体に上下にスライドする脚部である。３固定金具は、４位置決め用取っ手を該飾り付け台本体に取着するための部材で、５コイル状バネとセットされた一対の該位置決め用取っ手を、片手で操作し、８係合部の７勘合孔と６位置決め用ピンを解除・挿入できる。【０００９】  ９は、前記勘合孔７と位置決め用ピン６とを解除・挿入するときに、前記脚部２を一方の手で上下にスライドさせるための脚部連結棒である。１０は前記飾り付け台本体１の最上部に、生花等を飾りつけるための飾り付け天板で、天板取付ねじ１１により締着させることにより、該飾り付け台本体１を補強している。【００１０】  本考案の一実施例は上記の如き構成からなるものであるから、図３に示す従来例のように、脚部連結棒９ａを上下に操作し、適宜な位置で該飾り付け台本体１ａに配設した固定金具３ａを脚部２ａにねじこみ、押圧部１２に圧接させ生花飾り付け台を調整使用する場合に較べ、時間的、安定性、デザイン性、労力面で優れている。
【符号の説明】
【００１２】  １    飾り付け台本体
２    脚部
３    固定用具
４    位置決め用取っ手
５    コイル状バネ
６    位置決め用ピン部
７    勘合孔
８    係合部
９    脚部連結棒
１０  飾り付け天板
１１  天板取付ねじ
１２  押圧部
１ａ  飾り付け台本体
２ａ  脚部
３ａ  固定金具
９ａ  脚部連結棒
【図１】
0003187799.tif 000003
【図２】
0003187799.tif 000004
【図３】
0003187799.tif 000005
【手続補正書】
【提出日】平成25年9月30日(2013.9.30)
【手続補正１】
【補正対象書類名】実用新案登録請求の範囲
【補正対象項目名】全文
【補正方法】変更
【補正の内容】
【実用新案登録請求の範囲】
【請求項１】
飾り付け台本体に、スライドする脚部と、当該脚部に当該脚部を上下させるための脚部連結棒を設けるとともに、当該脚部に穿孔した複数個の勘合孔と、当該飾り付け台本体に一体に配設した位置決め用ピン部との係合を、位置決め用取っ手と、当該脚部連結棒の操作により、当該飾り付け台本体のレベルを自在に選択できるようにしたことを特徴とする飾り付け用台。
(57)【要約】      （修正有）【課題】食料品スーパーやコンビニで、食品への異物挿入を容易に検知し安心して食品を提供することができる金属探知機能を有した商品代金精算用レジスターを提供する。【解決手段】商品に記載されたバーコ−ドを読取る機能と金属探知機能を持ち、商品に記載されたバーコ−ドと金属探知の要否を関連付ける機能を持ち、商品をスキャンしたときに、バーコードを読み取った結果金属の付着や含有を許さない商品に金属の付着や含有を検知した場合には、五官によって認識可能な警告を発出する機能をもつことを特徴とする。【選択図】図１
0003187797.tif 000002
【実用新案登録請求の範囲】
【請求項１】
金属探知機能ならびに金属を探知した場合には五官によって認識可能な警告を発出する機能を組み込んだ商品代金精算用レジスター。
【考案の詳細な説明】
【先行技術文献】
【特許文献】
【０００１】
【特許文献１】不明。
【非特許文献】
【０００２】
【非特許文献１】不明。
【考案の概要】
【考案が解決しようとする課題】
【０００３】
食料品スーパーやコンビニで、食品に針などの金属を挿入する犯罪が発生しているが、犯罪防止のための処置としては巡回や防犯ビデオによる監視等が行われているものの、発生を阻止することは極めて困難である。一方、現在、レジスターはバーコードをスキャンし、商品名・単価を認識するものが普及しており、通常購入された商品は、精算時に全件レジスター機によりスキャンを受けている。そこで、食品への異物挿入を防止することは困難であるとしても、それを、客に販売することを水際（レジスター機による精算時）で防止することができれば被害を防止することができ、安心して食品を購入することが可能となる。
【課題を解決するための手段】
【０００４】
レジスター機のバーコードリーダー部に金属探知機能を組み込み、精算時の商品スキャン時に金属を探知した場合には、注意音の発生や注意メッセージを表示させる機能を付加する。なお、あらかじめバーコードと金属付着の可否を関連付けて登録しておき、缶詰以外の食品など金属が付着してはならないもののみ警告するように調整しておく。
【考案の効果】
【０００５】
当製品の利用によって精算時には金属異物混入が判別できることになることにより、消費者は安心して食品を買うことが出来、スーパーやコンビニは防犯コストを下げることができ、捜査機関にとっては犯罪発生を速やかに認知することができることから、犯人逮捕に資する、などの効果がある。
【図面の簡単な説明】
【０００６】
【図１】１  基本的に現在あるレジスターと外形的には異なることはない。２  スキャン部に金属探知機能を付加しておく。３  商品をスキャンしたときに、商品名・単価を認識すると同時に、金属が混入していないか探知し、金属が混入してはならない商品に金属を検知した場合には、バーコードリーダー画面への表示、警告音の発出などにより、操作者に認知させる。
【考案を実施するための形態】
【０００７】
１  食品を扱うスーパーマーケットやコンビニエンスストアの精算用レジスターとして、当実用新案レジスターを設置する。２  精算時にレジスターによるスキャンを行うことにより、買上金額計算と並行して金属異物の発見を行う。３  金属異物が発見されなければ通常の精算を行う。４  金属異物が発見された場合には、当該商品の販売を中止し、中身を確認したうえ、警察に通報する。
【実施例】
【０００８】
上記、実施の形態に同じ。
【産業上の利用可能性】
【０００９】
食品を扱うスーパーマーケットやコンビニエンスストアでの利用が見込まれる。
【符号の説明】
【００１０】
符号なし。
【図１】
0003187797.tif 000003
【手続補正書】
【提出日】平成25年7月16日(2013.7.16)
【手続補正１】
【補正対象書類名】明細書
【補正対象項目名】０００１
【補正方法】変更
【補正の内容】
【０００１】
【特許文献１】特開２０００−２７６６５５
【手続補正２】
【補正対象書類名】実用新案登録請求の範囲
【補正対象項目名】請求項１
【補正方法】変更
【補正の内容】
【請求項１】
商品に記載されたバーコ−ドを読取る機能と金属探知機能を持ち、商品に記載されたバーコ−ドと金属探知の要否を関連付ける機能を持ち、商品をスキャンしたときに、バーコードを読み取った結果金属の付着や含有を許さない商品に金属の付着や含有を検知した場合には、五官によって認識可能な警告を発出する機能をもつ商品代金精算用レジスター。
(57)【要約】      （修正有）【課題】同種の圧力容器は多数あるが、他の圧力容器と容積が同等においても、創意工夫をして封入量の増加及び小型軽量化を図る、多段式圧力容器を提供する。【解決手段】内部構造が多層であり、隔壁により区画された複数の室を有する、多段式圧力容器であって複数の室は、大気側室７、中間室８、中央室９の順に配置され、各室の最大封入圧力の大きさを、大気側室７、中間室８、中央室９の順に大きくし、隔壁に設置した逆止弁６にて、所定の封入圧力低下により、大気室側７から中央室９へ気体が流入可能とする多段式圧力容器。【選択図】図３
0003187752.tif 000002
【実用新案登録請求の範囲】
【請求項１】
内部構造が多層であり、隔壁により区画された複数の室を有する多段式圧力容器であって、複数の室は、大気側室７、中間室８、中央室９の順に配置され、各室の最大封入圧力の大きさを大気側室７、中間室８、中央室９の順に大きくし、隔壁に設置した逆止弁６にて、所定の封入圧力低下により、大気室側７から中央室９へ気体が流入可能とする多段式圧力容器。  
【考案の詳細な説明】
【技術分野】
【０００１】
本考案は、圧力容器内部を隔壁にて多層室に区分し、その封入圧力を多段式にし、更に封入圧力を背圧に活用して、隔壁の封入圧力の負担を分散、軽減を図り、又逆止弁の設置によって背圧も含め全量を有効活用する事による、封入量の増加に関するものである。
【背景技術】
【０００２】
同型の容器は多種あり、活用されている。
【先行技術文献】
【特許文献】
【０００３】
【特許文献１】特開２００４−２７０８６１号公報
【特許文献２】特開平６−２１３３９７号公報
【考案の概要】
【考案が解決しようとする課題】
【０００４】
容器の構造等の創意工夫を最大限に活用されず、封入量の増加が図られて無い。
【課題を解決するための手段】
【０００５】
内部構造が多層であり、隔壁により区画された複数の室を有する、多段式圧力容器であって複数の室は、大気側室、中間室、中央室の順に配置され、各室の最大封入圧力の大きさを、大気側
室、中間室、中央室の順に大きくし、隔壁に設置した逆止弁にて、所定の封入圧力の低下により大気室側から中央室へ気体が流入可能とする多段式圧力容器。              
【考案の効果】
【０００６】
考案は、他の圧力容器と容積が同等においても、封入する気体の量が増大する。
【図面の簡単な説明】
【０００７】
【図１】本考案の実施形態に係る多段式圧力容器を示した側面図である。
【図２】本考案の実施形態に係る多段式圧力容器を示した側面の断面図である。
【図３】本考案の実施形態に係る多段式圧力容器を示した平面の断面図である。
【考案を実施するための形態】
【０００８】
以下図１から図３を参照して、本考案の係る実施形態である、多段式圧力容器１００について説明する。
多段式圧力容器１００は、上蓋１及び下蓋２を備え、内部構造が多層であり、隔壁３〜5により区画された複数の室7〜9を有する。
複数の室7〜9は、外側から内側に向かって、大気側室７、中間室８、中央室９の順に配置され、各室の最大封入圧力の大きさを、大気側室７、中間室８、中央室９の順に大きくし、隔壁に設置した逆止弁６にて、所定の封入圧力の低下により大気室側７から中央室９へ気体を流入可能に構成されている。                       
【０００９】
上蓋１、下蓋２は、共に、多段式圧力容器１００全体の蓋となり、中央室９の封入圧力が最高になるので、これに対応した強度にする。
【００１０】
隔壁３は、大気と大気側室７を隔離するもので、又強度は封入圧力及び取扱時の機械的応力等を考慮して選定する。
【００１１】
隔壁４は、大気側室７と、中間室８を隔離するもので、又強度は封入圧力及び取扱時の機械的応力等を考慮して選定する。                  
【００１２】
隔壁５は、中間室８と、中央室９を隔離するもので、又強度は封入圧力及び取扱時の機械的応力等を考慮して選定する。                                           
【００１３】
各隔壁間のスペーサー等の補強は、状況により活用する。                      
【００１４】
逆止弁（チャッキ弁）６は、封入量を全量使用するべく、各隔壁４と５に各二箇所設置し、中央室８の封入圧力Ｐｎが使用により低下すると、逆止弁（チャッキ弁）６を通して、中間室８の封入圧力Ｐ２から中央室９の封入圧力Ｐｎへ流入し、順次中間室８の封入圧力Ｐ２が低下に伴い、逆止弁６を通して、大気側室７の封入圧力Ｐ１から中間室８の封入圧力Ｐ２へ流入させ
封入量の全量を使用する。
【００１５】
各室は、大気側室７、中間室８、中央室９と多層にし、容積は封入圧力と封入量により選定する。
【００１６】
注入口１０は、上蓋１に形成され、大気側室７と中間室８に設置する。
【００１７】
注入口及び吐出口１１は、上蓋１に形成され、中央室９に設置する。
【００１８】
各室の気体の封入順序は、逆止弁６の設置及び各隔壁を保護する関係で、一回目は大気側室７の所定の封入圧力Ｐ１まで中央室９→中間室８→大気側室７とする。
二回目は、中間室８の所定の封入圧力Ｐ２まで中央室９→中間室８とする。
三回目は，中央室９の所定の封入圧力Ｐｎまでとする。
補充の場合も、封入順序は同様とする。
【００１９】
各室の封入圧力を背圧として活用し、各隔壁の強度の補強をして封入量の増加を図る。
具体的には、大気側室７の所定の封入圧力Ｐ１は、中間室８の封入圧力Ｐ２の背圧となり
中間室８の封入圧力Ｐ２は、中央室９の封入圧力Ｐｎの背圧となる。      
従って不等記号で表せば次のようになる、大気側室７の所定の封入圧力Ｐ１＜中間室８の封入圧力Ｐ２＜中央室の９の封入圧力Ｐｎとなる。
【産業上の利用可能性】
【００２０】
本考案は、小型軽量で運搬、整理等労力の低減が図られる。
【００２１】
封入量が多く、貯蔵タンクとして、活用される。
【００２２】
小型軽量で、封入量が多く登山及びスキューバ等に活用される。
【００２３】
構造が簡単で製作は容易に可能である。
【００２４】
構成部品は、市販品で入手、加工が容易である金属、樹脂、炭素繊維等を活用する。
【００２５】
将来、自動車の燃料タンクに活用されるものと、考えられる。
【符号の説明】
【００２６】
１上蓋
２下蓋
３隔壁  大気側と大気側室との隔壁
４隔壁  大気側室と中間室との隔壁
５隔壁  中間室と中央室との隔壁
６逆止弁
７大気側室
８中間室
９中央室
１０注入口  大気側室及び中間室の注入口
１１注入口及び吐出口  中央室の注入口と吐出口を兼用
１００多段式圧力容器
【図１】
0003187752.tif 000003
【図２】
0003187752.tif 000004
【図３】
0003187752.tif 000005
(57)【要約】      （修正有）【課題】好ましい美しさと華やかさとを備え、看者の目を引く装飾品を提供する。【解決手段】容器１に発光手段３を支持させると共に、発光手段の周囲に多数の花１１を配設する。花は、好ましくはプリザーブドフラワーである。発光手段は、ＬＥＤ等の発光体と電源とＯＮ−ＯＦＦスイッチとを備えている。発光体は、所望の色の光を発し、点滅し又は変色するようにしてもよい。また、発光体は、透明又は不透明なカバーにより覆われている。電源は、電池であってもよいが、交流電源を使用してもよい。【選択図】図１
0003187751.tif 000002
【実用新案登録請求の範囲】
【請求項１】
容器に発光手段を支持させると共に、該容器には該発光手段の周囲に多数の花を配設してなることを特徴とする装飾品。
【請求項２】
前記花はプリザーブドフラワーであることを特徴とする請求項１に記載の装飾品。
【考案の詳細な説明】
【技術分野】
【０００１】
本考案は、装飾品に関するものであり、更に詳しくは、例えば、冠婚葬祭、各種パーティーその他のイベント会場、一般家庭の部屋、廊下ないし玄関、或いは仏壇内等に飾るための装飾品に係るものである。
【背景技術】
【０００２】
このような装飾品としては、一例として実用新案登録第３００６７２２号公報に示すように、台座上に固定した容器に草花を支持させてなるものが広く知られている。
【先行技術文献】
【特許文献】
【０００３】
【特許文献１】実用新案登録第３００６７２２号公報
【考案の概要】
【考案が解決しようとする課題】
【０００４】
しかるに、上記従来の装飾品においては、容器に草花を支持させているものの、美しさ乃至華やかさの面では、必ずしも十分なものではないという問題がある。
【０００５】
このような状況に鑑み、本考案は、好ましい美しさと華やかさとを備え、看者の目を引く装飾品を提供しようとしてなされたものである。  
【課題を解決するための手段】
【０００６】
上記課題を解決するために、本考案は下記の装飾品を提供する。
【０００７】
（１）容器に発光手段を支持させると共に、該容器には該発光手段の周囲に多数の花を配設してなることを特徴とする装飾品（請求項１）。
【０００８】
（２）前記花はプリザーブドフラワーである（請求項２）。
【考案の効果】
【０００９】
[請求項１の考案]
請求項１の考案による装飾品は、容器に発光手段を支持させると共に、該容器には該発光手段の周囲に多数の花を配設してなるものであるため、該発光手段の光が周囲の花を照らし、或いは該発光手段の光が直接看者の目に入る。したがって、該装飾品は、好ましい美しさと華やかさとを備え、看者の目を引くものとなる。
【００１０】
[請求項２の考案]
前記花はプリザーブドフラワーであるため、該花は短期間では劣化せず、瑞々しい質感と柔らかさとを長期間維持する。したがって、請求項２の考案による装飾品は長期間にわたって鑑賞することができる。
【図面の簡単な説明】
【００１１】
【図１】図１は、本考案による装飾品の一例を示す斜視図である。
【図２】図２は、本考案による装飾品の別の一例を示す斜視図である。
【図３】図３は、容器の一例を示す斜視図である。
【図４】図４は、発光手段の一例を示す正面図である。
【図５】図５は、発光手段の別の一例を示す斜視図である。
【考案を実施するための形態】
【００１２】
符号１に示すものは容器である。容器１は、形状、寸法、材質、色彩等の如何を問わない。図１に示すものはコーヒーカップ等の飲料容器を模した容器であり、図２に示すものは白鳥の形状を模した容器であり、図３に示すものは箱状の容器である。
【００１３】
容器１には発光手段３を備えさせる。発光手段３は、一例として、図４に示すように、ＬＥＤ等の発光体５と電源７とＯＮ−ＯＦＦスイッチ９とを備えている。発光体５は、所望の色の光を発する。発光体５は、点滅し又は変色するようにしてもよい。また、発光体５は、例えば透明又は不透明なカバーにより覆われている。電源７は、電池であってもよいが、交流電源を使用してもよい。図５は、発光手段３の別の一例を示す。図５に示す発光手段３においても、発光体５としてＬＥＤが使用されている。
【００１４】
容器１には、発光手段３の周囲に多数の花１１を配設する。花１１は、種類、形状、大きさ、色彩等を問わない。また、花１１は、生花又は造花であっても差し支えないが、好ましくはプリザーブドフラワーである。
【００１５】
プリザーブドフラワーは、一例として、花をアルコール、メタノール等の脱水液に浸漬し、該花に含まれている水分を脱水液と置換すると共に、酢酸アミノール等の水溶性の染料により染色してなるものである。
【００１６】
なお、容器１には、花１１の他、リボン等の装飾手段１３を配設しても差し支えない。このように、容器１に花１１と共にリボン等の装飾手段１３を配設してなる装飾品も本考案の技術的範囲に含まれるものである。
【符号の説明】
【００１７】
１  容器
３  発光手段
５  発光体
７  電源
９  ＯＮ−ＯＦＦスイッチ
１１  花
１３  リボン等の装飾手段
【図１】
0003187751.tif 000003
【図２】
0003187751.tif 000004
【図３】
0003187751.tif 000005
【図４】
0003187751.tif 000006
【図５】
0003187751.tif 000007
(57)【要約】      （修正有）【課題】さした時に点灯し、たたんで手持ちした時に消灯する電源スイッチのＯＮ、ＯＦＦ操作の手間を減らせる光る傘を提供する。【解決手段】水平に対して仰角のときはＯＮして、俯角のときはＯＦＦする機能を有するスイッチ機構とスイッチ機構のＯＮ、ＯＦＦに基いて点灯または消灯する光源を備える。スイッチ３は傘のシャフトや柄の外部に設けても良いが電源５等他の部材と共に柄ＯＨの内部に収納するのが好ましい。スイッチは水銀スイッチが好ましいがボールスイッチ他所定の角度で、ＯＮ、ＯＦＦできるものであればいかなる方式の物であっても良い。【選択図】図３
0003187778.tif 000002
【実用新案登録請求の範囲】
【請求項１】
水平に対して仰角のときはＯＮして、俯角のときはＯＦＦする機能を有するスイッチ機構と前記スイッチ機構のＯＮ、ＯＦＦに基いて点灯または消灯する光源を備えたことを特徴とする光る傘。
【考案の詳細な説明】
【技術分野】
【０００１】
本考案は、さしたときに光り、たたんで手持ちしたときに消灯する光る傘に関する    
【背景技術】
【０００２】
従来の光る傘は、通行車両の運転者に光る傘の存在を認識させて歩行者の安全確保に立てる物とされてきた。
該光る傘は、柄等に設けられた電源スィッチで傘の開閉の都度ＯＮ、ＯＦＦ操作をして傘の発光を制御するもので、一度電源スイッチをＯＮにすれば所定の角度に従ってハンズフリーで傘の発光を制御できる物は従来の光る傘にはなかった。
【先行技術文献】
【特許文献】
【０００３】
【特許文献１】特開２００５−２９６５５３号公報
【特許文献２】特開平１１−３１８５２４号公報
【特許文献３】特開平１０−１４６２０９号公報
【考案の概要】
【考案が解決しようとする課題】
【０００４】
本考案は、傘の開閉の都度必要としていた電源スイッチのＯＮ、ＯＦＦ操作の手間を
減らして光る傘の利便性と安全性の向上を課題とする。
【課題を解決するための手段】
【０００５】
上記課題を解決するため本考案は、光る傘の任意の場所であって電源スイッチと光源の間に、本体が所定の角度より仰角ならＯＮ，俯角ならＯＦＦする機能を備えたスイッチ（以下、これを角度スイッチという。）を追備して、電源スイッチＯＮの状態下で傘の角度により自動的に光源のＯＮ、ＯＦＦをする物である。
【０００６】
例えば傘の角度が水平より仰角ならＯＮ、俯角ならＯＦＦに設定した角度スイッチを追備すればハンズフリーでも傘の角度が上記仰角ならＯＮで発光し、俯角ならＯＦＦで消灯するので傘開閉時の必要操作とされていた電源スイッチのＯＮ、ＯＦＦ操作の手間を軽減し、さらに光の放射方向を増やすことにより課題を解決する。
【０００７】
角度スイッチは傘のシャフトや柄の外部に設けても良いが電源等他の部材と共に柄の内部に収納するのが好ましい。
角度スイッチは水銀スイッチが好ましいがボールスイッチ他所定の角度でＯＮ、ＯＦＦできるものであればいかなる方式の物であっても良い。
光源はＬＥＤが好ましいが豆電球やミニクリプトン球他の物であっても良い。
ＬＥＤは点滅発光させることが好ましいが常灯させてもよい。
ＬＥＤは赤色、橙色が好ましいが白色や三色ＬＥＤを使用して多色発光させてもよい。
光源は石突き収納形が好ましいが骨や柄内に設けても良い。
尚、上記光る傘は電源スイッチを省略しても同様の効果を有するので、本考案は電源スイッチを省略することを妨げない。       
【考案の効果】
【０００８】
本考案は、角度スイッチの働きにより傘開閉の都度電源スイッチをＯＮ、ＯＦＦしな
いで済むこと、傘の視認性と安全性を向上すると共に闇間での照明にもなる。
【図面の簡単な説明】
【０００９】
【図１】光る傘の全体図
【図２】石突き２とＬＥＤ光源１の位置を示す断面図
【図３】柄内部の部材取付け状態を示す断面図
【図４】回路図
【考案を実施するための形態】
【００１０】
以下図面に従って説明する。
図１の全体図に示す光る傘０は、図２の石突き内に設けた点滅回路付きの赤色ＬＥＤ光源（以下これをＬＥＤという。）と石突き２と、図３に示す柄０Ｈの内部に設けた角度スイッチ３と電源スイッチ４と電源電池５によって概略構成される。
石突き２は、ＬＥＤ１を内包した乳白色の樹脂製で、先端に円形空間を有するステンレスキャップを備えた物で傘の先端部０Ｓｔに取付けられている。
ＬＥＤ１の配線は省略した。
柄０Ｈ内には、角度スイッチ３と電源スイッチ４および電源電池５が図４の回路図に従って取付けられている。
【００１１】
上記構成による光る傘０は、例えば雨の夜に使用者が電源スイッチ４をＯＮにした後、傘を上向きにして広げれば角度スイッチ３がＯＮとなり石突き２内のＬＥＤ１が点滅発光して０イと０ロ方向に放射され、傘を閉じれば自動的にＯＦＦと成り消灯する。
本実施例の光る傘０は使用開始時に電源スイッチ４をＯＮ、終了時にＯＦＦするが、開
始から終了までの間は傘の角度に従ってハンズフリーでＬＥＤ１の点滅が行われるので開閉する度に電源スイッチ４のＯＮ、ＯＦＦ操作をしないですむ。
また、上記電源スイッチ４をＯFFにする操作を忘れても下向きにして傘立てに立てれば自動的に角度スイッチ３がＯＦＦとなり電源電池５の無駄な消耗が防げる。
さらに、傘を閉じた状態で石突き２が多少上向きで横抱えにして歩くと角度スイッチ３がＯＮになりＬＥＤ１のステンレスキャップ２Ｃの穴から放射される点滅光０ロによって視認できるので対面歩行者への警告となり誤って対面歩行者に怪我をさせるような事故を予防できる。
【００１２】
上述の如く、本考案の光る傘０は使用者が傘の開閉の都度電源スイッチ４でＯＮ、ＯＦＦ操作をしなくても角度スイッチ３の働きで自動的にＯＮ、ＯＦＦされるので使い始めと終わりのＯＮ、ＯＦＦ操作だけで済むこと、また前記電源スイッチ４のＯＦＦ操作を忘れても角度スイッチ３が結果的に補って電源電池５の無駄な消耗を防げること、さらに上記対面者への事故の予防が出来るので使用者が使い易く安全な光る傘になる。
また、例えば市販のシャフトと石突きが光る構造の光る傘の柄内部に光源や電源電池および電源スイッチと共に前記角度スイッチを追備すれば、前記実施例と同様の機能を有する光る傘にする事ができる。
【産業上の利用可能性】
【００１３】
本考案は、光る傘として用いることができる。  
【符号の説明】
【００１４】
０・・・・傘
０Ｓ・・・シャフト
０Ｓt・・・傘の先端部
０Ｈ・・・柄
０イ・・・横方向への放射光
０ロ・・・上方向への放射光
１・・・・ＬＥＤ
２・・・・石突き
２Ｃ・・・ステンレスキャップ
２Ｔ・・・発光部２の傘への取付け都
３・・・・角度スイッチ
４・・・・電源スイッチ
５・・・・電源電池
【図１】
0003187778.tif 000003
【図２】
0003187778.tif 000004
【図３】
0003187778.tif 000005
【図４】
0003187778.tif 000006
(57)【要約】      （修正有）【課題】筋肉トレーニングなど、一定の間隔で反復して行う運動等の時間カウントを自動化し、神経的負担を軽減して、継続を容易にする筋肉トレーニング用間欠型タイマーを提供する。【解決手段】間欠タイマーのボタン３，４を押し、時間を設定する。この時間は画面１，２に表示される。ついで、スタートボタン５を押すと、設定時間毎に、音（ベル）、または振動が開始、反復作動し、ストップボタン５を押すまで継続する。これにより、運動等における時間カウント負担を軽減することができる。【選択図】図１
0003187502.tif 000002
【実用新案登録請求の範囲】
【請求項１】
時間の設定ボタン、設定した時間を表示する画面、運動を開始させるためのボタン、運動を終了させるためのボタンを備えたことを特徴とする筋肉トレーニング用間欠型タイマーである。
【考案の詳細な説明】
【技術分野】
【０００１】
本考案は、筋肉トレーニングを行う場合に使用する機器に関する。
【背景技術】
【０００２】
筋肉トレーニングを行うことは、必ずしも容易ではない。どこまでやれば良いのを決めることも容易でなく、その時間を測ることも面倒である。そのような理由により、ついおっくうになってしまう。一方、これまでに提案されている筋肉トレーニング用の機器は、いずれも高価、かつ、複雑なものであり、高齢者などに、広く普及させるためには問題がある。
【先行技術文献】
【特許文献】
【０００３】
【特許文献１】特開２００５−２２４３１８
【考案の概要】
【考案が解決しようとする課題】
【０００４】
筋肉トレーニングなど、一定の間隔で反復して行う運動等の時間カウントを自動化し、神経的負担を軽減して、継続を容易にしようとするものである。
【課題を解決するための手段】
【０００５】
本考案は、時間の設定ボタン、設定した時間を表示する画面、運動を開始させるためのボタン、運動を終了させるためのボタンを備えたことを特徴とする筋肉トレーニング用間欠型タイマーである。
【考案の効果】
【０００６】
本考案により、筋肉トレーニング等の運動時における時間カウント負担を軽減することができ、運動を長続きさせることができ、健康増進に有効である。
【図面の簡単な説明】
【０００７】
【図１】本考案の筋肉トレーニング用間欠型タイマーの略図である。
【考案を実施するための形態】
【０００８】
図１に本考案の筋肉トレーニング用間欠型タイマーの略図を示す。
筋肉トレーニングなど、一定の間隔で反復して行う運動等の時間カウントを自動化し、神経的負担を軽減して、継続を容易にしようとするものであり、以下のように作動させる。
１．４の時間(秒)を設定するボタンをおして、２の秒を表示する画面に表示させる。２．３の時間(分) を設定するボタンをおして、１の分を表示する画面に表示させる。                    (なお、0分の場合は表示しない)
３．５のスタート(ストップ）ボタンを押し、始動、または終了する。
間欠型タイマーで一定間隔の反復作動により、運動と休止を交互に行う。簡素化のため、タイマーの開始後、休止時間(10秒内外から)を経て、運動を始め(数秒から数分）、次のタイマーにより運動を止める。さらに休止時間を経て、再び同様に行うもので、数回から十数回の繰り返しを1セットとし、1日2〜3回行う。
なお、本考案のタイマーは、これに限るのものではなく、歩数計型、腕時計型、携帯電話タイプなど種々の形態が可能で、また、電池式、充電式のいずれでも選択できる。
【産業上の利用可能性】
【０００９】
本考案品は安価であり、広く普及することが期待できるため、電気機器製造産業、健康器具製造産業の発展に有効である。
【符号の説明】
【００１０】
１    時間(分)を表示する画面
２    時間(秒)を表示する画面
３    時間(分)を設定するボタン
４    時間(秒)を設定するボタン
５    スタート、ストップボタン
【図１】
0003187502.tif 000003
【手続補正書】
【提出日】平成25年9月5日(2013.9.5)
【手続補正１】
【補正対象書類名】実用新案登録請求の範囲
【補正対象項目名】全文
【補正方法】変更
【補正の内容】
【実用新案登録請求の範囲】
【請求項１】
時間の設定ボタン、設定した時間を表示する画面、スタートボタン、ストップボタンを備える筋肉トレーニング用間欠型タイマーにおいて、前記スタートボタンが押されると、前記設定ボタンにより設定された時間毎に音または振動が開始、反復作動し、前記ストップボタンが押されるまで継続することを特徴とする筋肉トレーニング用間欠型タイマー。
(57)【要約】      （修正有）【課題】剥がした際にのり残りがなくしっかり粘着する粘着剤を使用し、帽子・ヘルメットの額部、服の襟部帽子への装着時歪むことなく綺麗に貼れる様独自の曲線を形状とした洗える消臭・制菌・吸水・速乾ライナーを提供する。【解決手段】帽子へ綺麗に張れる様独自の曲線を施したライナー１である。ライナー１を帽子２に装着し、第１層目が剥離紙、第２層目が剥がした際にのり残りがなくしっかり粘着出来る粘着剤、第３層が洗える消臭・制菌・吸水・速乾の機能生地、で構成されている。【選択図】図２
0003187506.tif 000002
【実用新案登録請求の範囲】
【請求項１】
本考案は、帽子・ヘルメットの額部分、襟部分の汚れを防ぎ、本ライナー装着時に歪むことなく綺麗に貼れる様独自の曲線を形状とした、繰返し洗えて使用できる消臭・制菌・吸水・速乾ライナー。
【考案の詳細な説明】
【技術分野】
【０００１】  本考案は、夏季、帽子・ヘルメットの額部分、襟部分が汗・ファンデーションで汚れてしまうがこれを防ぐとともに、本ライナー装着時に歪むことなく綺麗に貼れる様、独自の曲線を形状とした洗えるライナーに関するものである。
【背景技術】
【０００２】夏季、帽子・ヘルメットの額部分、襟部分は汗・ファンデーションで汚れてしまう。使い捨てのライナーを使用し保護する方法があるが、使い捨ての場合、環境に良くないばかりか、繰返し使用できないためコスト面より消費者に負担がかかる。粘着剤によるのり残りが生じるとともに、粘着剤が弱いと額部、襟部から外れてしまう。剥がした際にのり残りがなく、しっかり粘着する粘着剤を使用すれば、額部、襟部を汚すことなく、外れないため使用者に喜ばれる。テープを貼り替えれば洗って繰返し使用できるため衛生面、コスト面でも消費者に喜ばれる。
帽子・ヘルメットの額部、服の襟部の内側曲線は、板状のテープを綺麗に貼ることが難しいため、装着がスムーズに出来る様、独自の曲線を施した。ライナーに消臭・制菌・吸水・速乾の機能生地を使用すれば更に使用者へ快適性を付与できる。
【考案の概要】
【考案が解決しようとする課題】
【０００３】上記問題を解決するライナーを提供する事である。
【課題を解決するための手段】
【０００４】剥がした際にのり残りがなくしっかり粘着する粘着剤を使用し、帽子・ヘルメットの額部、服の襟部帽子への装着時歪むことなく綺麗に貼れる様独自の曲線を形状とした洗える消臭・制菌・吸水・速乾ライナーを製作することである。
【考案の効果】
【０００５】本考案によって課題を十分に解決している。
【図面の簡単な説明】
【０００６】
【図１】帽子への装着がゆがむことなく装着がなじむ様、独自の曲線を施した正面図である。ライナーには洗える消臭・制菌・吸水・速乾の機能生地を使用、テープ裏側には剥がした際にのり残りがなくしっかり粘着する粘着剤を施している。
【図２】ライナー１を帽子に装着した正面図である。
【図３】ライナー１の断面図である。
【考案を実施するための形態】
【０００７】帽子へ歪むことなく綺麗に貼れる様、独自の曲線を施し、剥がした際にのり残りがなくしっかり粘着する粘着剤の一方に洗える消臭・制菌・吸水・速乾の機能生地を貼り、反対側へ使用者が剥がす際の剥離紙を貼った形態
【実施例】
【０００８】図１は、帽子へ綺麗に張れる様独自の曲線を施したライナー本体の正面図である。図２はライナー１を帽子２に装着した正面図である。図３は、第１層目が剥離紙、第２層目が剥がした際にのり残りがなくしっかり粘着出来る粘着剤、第３層が洗える消臭・制菌・吸水・速乾の機能生地、以上で構成されているライナーの断面図である。
【産業上の利用可能性】
【０００９】夏季、帽子・ヘルメットの額部分、襟部分は汗・ファンデーションで汚れてしまう。使い捨てのライナーを使用し保護する方法があるが、使い捨ての場合、環境に良くないばかりか、繰返し使用できないためコスト面より消費者に負担がかかる。また、粘着剤によるのり残りが生じると共に、粘着剤が弱いと額部、襟部から外れてしまう。剥がした際にのり残りがなく、しっかり粘着する粘着剤を使用すれば、額部、襟部を汚すことなく、外れないため使用者に喜ばれる。テープを貼り替えれば洗って繰返し使用できるため衛生面、コスト面でも消費者に喜ばれる。
帽子・ヘルメットの額部、服の襟部の内側曲線は、板状のテープを綺麗に貼ることが難しいため、装着がスムーズに出来る様、独自の曲線を施した。ライナーに消臭・制菌・吸水・速乾の機能生地を使用すれば更に使用者へ快適性を付与できる。
【符号の説明】
【００１０】１ライナー本体
２帽子本体
３剥離紙
４粘着剤
５機能生地
【図１】
0003187506.tif 000003
【図２】
0003187506.tif 000004
【図３】
0003187506.tif 000005
【手続補正書】
【提出日】平成25年9月9日(2013.9.9)
【手続補正１】
【補正対象書類名】実用新案登録請求の範囲
【補正対象項目名】全文
【補正方法】変更
【補正の内容】
【実用新案登録請求の範囲】
【請求項１】
帽子とヘルメットの額部分と洋服の襟部分へ綺麗に貼れる様独自の曲線を施した第１層目が剥離紙で第２層目が剥がした際にのり残りがなくしっかり粘着出来る粘着剤を使用し第３層が消臭生地で構成されているライナー。
(57)【要約】      （修正有）【課題】回転式蓋の表面からティシューペーパーを取り出し、回転式蓋を押し開けた手を離すと回転式蓋が自動的に閉まるティッシュー箱入れ付きゴミ箱を提供する。【解決手段】回転式蓋付きゴミ箱において回転式蓋３の裏面に市販のティシュー箱の取り付けと取り外しをおこなうためのゴム紐７を設け、取り付けたティシュー箱の中のティシューペーパーを回転式蓋の表面から取り出せるように回転式蓋にティシューペーパーの取り出し口４を設け、回転式蓋を手で押すとゴミ箱収納部の上部の回転軸受け６と回転軸付き蓋に取り付けた回転軸５を中心に蓋がスイングしゴミ投入口１１が開き、回転軸付き蓋から手をはなすとティシュー箱とティシュー箱入れ９の重みで回転軸を中心に蓋がスイングし蓋が自動的に閉まるように構成した。【選択図】図２
0003187501.tif 000002
【実用新案登録請求の範囲】
【請求項１】
ゴミ箱の蓋を回転させてゴミを入れる形式の回転式蓋付きゴミ箱において回転式蓋の裏面に市販のティシュー箱を取り付け、回転式蓋の裏面に取り付けたティシュー箱の中のティシューペーパーを回転式蓋の表面から取り出せるように回転式蓋にティシューペーパーの取り出し口を設け、使い終わったティシューペーパーやゴミは回転式蓋を手で押し開けゴミ箱の中に捨て、回転式蓋を押し開けた手を離すことにより、回転式蓋の裏面に取り付けたティシュー箱とティシュー箱入れの重みで回転式蓋が自動的に閉まるように構成したことを特徴としたティシュー箱入れ付きゴミ箱。
【考案の詳細な説明】
【技術分野】
【０００１】本考案は、ティシューケースとゴミ箱に関するものである。
【背景技術】
【０００２】従来より、ティシューケースとゴミ箱は別々に形成されているのが、ゴミ箱の側面にティシューケースを取り付けたティシューケース付きゴミ箱の考案や、ティシューケースの下にゴミ箱を構成しゴミ箱の正面にゴミの投入口を設けた考案や、ゴミ箱の上にティシューケースを構成しゴミ箱とティシューケース蝶番等で連結させ、ゴミを捨てるときティシューケースを持ち上げてゴミ箱を使用する考案があり、ティシューケースとゴミ箱を組み合わせた考案がある。
【考案の概要】
【考案が解決しようとする課題】
【０００３】ティシューケースとゴミ箱を組み合わせた考案は機能的には片手でティシューペーパーを取り、使い終わったティシューペーパーをゴミ箱に捨てるときも片手でおこなえ、シンプルな構成で低価格にて提供できる考案である。
そこで本考案も機能的にもコスト的にも前記の考案に劣らない構成にし、特に室内で使用するものであるからシンプルなデザインで使い勝手の良い構成にする必要がある。
【課題を解決するための手段】
【０００４】本考案にかかるティシュー箱入れ付きゴミ箱において、ゴミ箱部は立方体でゴミ箱に設置する蓋はティシューペーパーの取り出し部と蓋の裏面にティシュー箱を取り付けるためのティシュー箱入れとティシュー箱を押さえるためのゴム紐で構成し、ティシュー箱入れの左右２カ所に蓋を回転させるため回転軸を設け、ゴミ箱の上部内側左右２カ所に蓋の回転軸を受けるための軸受けを設け、ゴミ箱に設けた軸受けに蓋の回転軸を引っかけ蓋をゴミ箱に設置する。
【考案の効果】
【０００５】ゴミ箱に設置した回転軸付き蓋の裏面にティシュー箱を取り付けることでティシューペーパーの利用とティシューペーパーの利用後の廃棄が１つの箱でおこなえ、蓋の開口は手で押すだけで簡単に開き、閉口は蓋の裏に取り付けたティシュー箱とティシュー箱入れの重みで自動的に閉まり、シンプルな構成で安価に顧客に提供することができる。
【図面の簡単な説明】
【０００６】
【図１】本考案にかかるティシュー箱入れ付きゴミ箱の実施例の正面図である
【図２】前記ティシュー箱入れ付きゴミ箱の実施例の図１正面図・矢視Ａ−Ａ線に沿う断面図である。
【考案を実施するための形態】
【０００７】以下に本考案にかかるティシュー箱入れ付きゴミ箱を、その実施の形態を示した図面に基づいて詳細に説明する。
図１はティシュー箱入れ付きゴミ箱の正面図である。
【０００８】図２はティシュー箱入れ付きゴミ箱の実施例の図１正面図・矢視Ａ−Ａ線に沿う断面図で、回転軸付き蓋の回転軌道１０は蓋の手前を手で押すとゴミ箱収納部２の上部の回転軸受けと回転軸付き蓋３に取り付けた回転軸５を中心に回転し回転軸付き蓋が下がりゴミ投入口１１からゴミを投入することができ、回転軸付き蓋から手をはなすと回転軸付き蓋の裏に取り付けたティシュー箱とティシュー箱入れの重みで回転軸付き蓋は自動的に閉口する。
【実施例】
【０００９】本考案は回転式蓋付きゴミ箱の蓋の裏面にティシュー箱の取り付けと取り外しができるティシュー箱入れを設け、蓋の表面から蓋の裏面に取り付けた市販のティシュー箱からティシューペーパーを取り出せるようにティシューペーパーの取り出し口を設け、使い終わったティシューペーパーやゴミは回転軸付き蓋を手で押し開けゴミ箱の中に捨て、蓋を押し開けた手を離すことにより、蓋の裏面に取り付けたティシュー箱とティシュー箱入れの重みで蓋が自動的に閉まるように構成する。本考案のティシュー箱入れ付きゴミ箱は市販のティシュー箱を回転式蓋付きゴミ箱の回転軸付き蓋の裏面にセットして使用する基準を充たした大きさ形状材質で大きさ、形状、材質を限定するものでは無い。又、回転軸と回転軸受けの取り付け位置であるが回転軸をゴミ箱に、回転軸受けをティシュー箱入れに取り付けても良い。
【符号の説明】
【００１０】１  ティシュー箱入れ付きゴミ箱
２  ゴミ収納部
３  回転軸付き蓋
４  ティシューペーパー取り出し口
５  回転軸
６  回転軸受け
７  ティシュー箱押さえゴム紐
８  回転軸及びゴム紐固定板
９  ティシュー箱入れ
１０  回転軸付き蓋の回転軌道
１１  ゴミ投入口
【図１】
0003187501.tif 000003
【図２】
0003187501.tif 000004
【手続補正書】
【提出日】平成25年9月12日(2013.9.12)
【手続補正１】
【補正対象書類名】実用新案登録請求の範囲
【補正対象項目名】全文
【補正方法】変更
【補正の内容】
【実用新案登録請求の範囲】
【請求項１】
ゴミ箱の蓋を回転させてゴミを入れる形式の回転式蓋付きゴミ箱において回転式蓋の裏面に市販のティシュー箱の取り付けと取り外しをおこなうためのゴム紐を設け、回転式蓋の裏面にゴム紐で取り付けたティシュー箱の中のティシューペーパーを回転式蓋の表面から取り出せるように回転式蓋にティシューペーパーの取り出し口を設け、使い終わったティシューペーパーやゴミは回転式蓋を手で押すとゴミ箱収納部の上部の回転軸受けと回転軸付き蓋に取り付けた回転軸を中心に蓋がスイングしゴミ箱部が開きティシューペーパーやゴミを投入することができ、回転軸付き蓋から手をはなすと回転軸付き蓋の裏に取り付けたティシュー箱とティシュー箱入れの重みで回転軸を中心に蓋がスイングし蓋が自動的に閉口するように構成したことを特徴としたティシュー箱入れ付きゴミ箱。
(57)【要約】      （修正有）【課題】工事用フェンスに隣接する建築物の壁や資材があっても、出入り口として機能する工事用フェンスを提供する。【解決手段】工事用フェンス２０に設ける開閉扉２５をジャバラ式、または、観音式とする。これにより、扉の前後の隣接する場所にも資材を置くことが可能となる。【選択図】図１
0003187571.tif 000002
【実用新案登録請求の範囲】
【請求項１】
工事用フェンスに設ける開閉扉であって、
該開閉扉をジャバラ式であることを特徴とする工事用フェンス。
【請求項２】
ジャバラ式扉の端部に磁石を付設することを特徴とする請求項１の工事用フェンス。
【請求項３】
工事用フェンスに設ける開閉扉であって、
該開閉扉を観音式であることを特徴とする工事用フェンス。
【考案の詳細な説明】
【技術分野】
【０００１】
本願考案は、工事現場への第三者の立入り禁止手段として、通行人、子供等の安全を確保するために、現場周辺に一時的に設けられる工事用フェンスに関する。
【背景技術】
【０００２】
従来、この種の工事用フェンス１０は、図３に示すように、適宜の間隔で配列の支柱１の間に、上枠体３、下枠体４、そして、それらの枠体の間に補強枠体２を設け、区画された空間に、パネル６を嵌め込んで構成されている。
又、前記支柱１の間に、ヒンジ式の片開き開閉扉５が取り付けてあり、工事業者が工事現場の出入にあたって開閉する。
尚、この工事用フェンスはよく知られているので文献を列挙しない。
【考案の概要】
【考案が解決しようとする課題】
【０００３】
工事用フェンス１０に設けた開閉扉５は、進行方向に開閉するため、フェンス１０の場所によっては、工事資材置き場や建築物の壁が隣接すると、その壁や資材が邪魔になって開閉ができないことがある。即ち、開閉扉５を設置する工事用フェンスの前後通路に隣接する場所には、資材等を置くことができないし、開閉扉５が開閉可能な空間を要する。
そこで、本願考案は、工事用フェンスに隣接する建築物の壁や資材があっても、出入り口として機能する工事用フェンスを提供する。
【課題を解決するための手段】
【０００４】
請求項１の工事用フェンスには、ジャバラ式開閉扉を設ける。
又、請求項２の工事用フェンスにおけるジャバラ式扉の端部には、磁石が付設してある。
又、請求項３の工事用フェンスには、観音式開閉扉を設ける。
【考案の効果】
【０００５】
ジャバラ式または観音式開閉扉を設けることによって、出入り口前後に隣接する場所に資材等を置くことができる。
【図面の簡単な説明】
【０００６】
【図１】（Ａ）はジャバラ式開閉扉が開状態であり、（Ｂ）は閉状態である工事用フェンスの図である。
【図２】観音式開閉扉を取り付けの工事用フェンスの図である。
【図３】従来の工事用フェンスの図である。
【考案を実施するための形態】
【０００７】
実施例を図面に基づいて説明する。
図１（Ａ）は、工事用フェンス２０に設けたジャバラ式扉２５が開状態であり、（Ｂ）は閉状態である。
工事用フェンス２０は、従来と同じであり、適宜の間隔で配列の金属で構成される支柱１の間に、金属製の上枠体３、下枠体４、そして、それらの枠体の間に金属製の補強枠体２を設け、区画された空間に、パネル６を嵌め込んで構成されている。尚、パネルは透明又は不透明の金属板或いは樹脂板である。
【０００８】
又、工事用フェンスが長い場合には、工事現場の出入口として、前記支柱１の間には、開閉扉２５が設けてある。この開閉扉２５は、ジャバラ式（アコーデオン式）で、アルミニウム等の金属製又は樹脂シート等で構成されている。又、このジャバラ式開閉扉２５の端部には、磁石が付設してあり、閉状態のとき、その磁石は柱１に接合して閉状態を維持する。
【０００９】
このジャバラ式開閉扉２５は、図１（Ａ）に示すように、端部を右方向に移動させることによって、扉は折り畳まれて、開口される。一方、端部を左方向に移動させることによって、開閉扉は閉状態になり、且つ、端部に付設の磁石が柱１に密着して平常体を維持する。
このように、ジャバラ式開閉扉２５は、左右方向（開閉方向）に移動することによって、開閉が可能であるので、開閉扉の出入方向における隣接箇所に材料等を置いても開閉可能である。
【００１０】
又、図２は、従来の片開き扉に替えて、両開き、所謂、観音式開閉扉３０ａ、３９ｂが取り付けてある。この観音式開閉扉は、少なくともいずれか一方が開状態になれば、通路として機能する。即ち、片方の開閉扉３０ａの通路に資材等が置いてあっても、他方の開閉扉３０ｂの開閉は可能であり、通路として機能する。
以上のように、本願の考案は、工事用フェンス２０に開閉扉を設けるに当たって、短い長さで開閉可能であればよく、ジャバラ式の他観音式扉を取り付けることにあり、開閉扉の幅、開閉扉の材質等は適宜選択する。
【符号の説明】
【００１１】
１  支柱
２  補強枠体
３  上枠体
４  下枠体
５  パネル
２５  ジャバラ式（アコーデオン式）開閉扉
３０ａ、３０ｂ  観音式開閉扉
【図１】
0003187571.tif 000003
【図２】
0003187571.tif 000004
【図３】
0003187571.tif 000005
(57)【要約】      （修正有）【課題】仏壇の線香が倒れない、安全な線香立てを提供する。【解決手段】線香立ての器１の中に、灰の代わりに極細金属線４の網の層Ａ、Ｂ、Ｃ、Ｄ、Ｅ、Ｆを置いて、線香５を網の目に立てる。【選択図】図２
0003187551.tif 000002
【実用新案登録請求の範囲】
【請求項１】
線香立ての器（１）の中に、灰の代わりに、極細金属線（４）の網（Ａ）（Ｂ）（Ｃ）（Ｄ）（Ｅ）（Ｆ）で構成する網の層を組み立てた本体を入れて置き、その網の目に上から線香（５）を立てる、線香が倒れない線香立て。
【考案の詳細な説明】
【技術分野】
【０００１】（１）この考案は、一般家庭の仏壇にある線香立ての構造に関するものである。
（２）線香が倒れない線香立ての、構造に関するものである。
【背景技術】
【０００２】従来、線香立ての器の中には、灰か砂を入れて、その中に線香を刺して立てていた。
【考案の概要】
【考案が解決しようとする課題】
【０００３】線香が倒れて、器から落ちて周囲に火が移り火災に至るのを防ぐ。
【課題を解決するための手段】
【０００４】器（１）の中に、灰の代わりに極細金属線（４）の網の層（Ａ、Ｂ、Ｃ、Ｄ、Ｅ、Ｆ）を置く。
線香（５）を、網の目に立てる。本考案は、以上の構成よりなる。
【考案の効果】
【０００５】線香が倒れて落ちることによる火災を防ぐ効果がある。
【図面の簡単な説明】
【０００６】
【図１】本考案の平面図である。
【図２】本考案の立断面図である。
【図３】網Ａの平面図である。
【図４】網Ｂの平面図である。
【図５】網Ｃの平面図である。
【図６】網Ｄの平面図である。
【図７】網Ｅの平面図である。
【図８】網Ｆの平面図である。
【考案を実施するための形態】
【０００７】以下、本考案を実施すするための形態について説明する。
線香立ての器（１）の中に、極細金属線（４）を張った網の層で構成する本考案の本体を入れる。
網は、上から（Ａ）、（Ｂ）、（Ｃ）、（Ｄ）、（Ｅ）、（Ｆ）に配置するものである。
各網（Ａ）（Ｂ）（Ｃ）（Ｄ）（Ｅ）（Ｆ）は、極細金属線（４）の方向が直角に交差する配置である。
上から見ると、図１のごとく網に見える。
線香（５）を、この網（Ａ）（Ｂ）（Ｃ）（Ｄ）（Ｅ）（Ｆ）の目に立てる。
本考案は、以上のような構造である。
【符号の説明】
【０００８】１  線香立ての器
２  線香立て本体脚
３  網の金属枠
４  極細金属線
５  線香
【図１】
0003187551.tif 000003
【図２】
0003187551.tif 000004
【図３】
0003187551.tif 000005
【図４】
0003187551.tif 000006
【図５】
0003187551.tif 000007
【図６】
0003187551.tif 000008
【図７】
0003187551.tif 000009
【図８】
0003187551.tif 000010